(57)【要約】      （修正有）【課題】ねじ締め作業における適正なねじ締め状態および種々の不適正となるねじ締め状態の判定を行うためのねじ締め状態の目標値の設定を、簡単な操作により行うことができる取扱いの簡便なねじ締め状態判定機能を備えた電動回転工具を提供する。【解決手段】電動モータ１２の駆動出力軸にクラッチ機構１８を介してドライバービット２０を結合し、ドライバービット２０の回転に基づくねじ締め回転量を検出する回転量検出手段２４を設けて、最初の複数回によるねじ締め操作により、ねじ締めの目標回転量の設定を自動的に行い、その後のねじ締め作業に際して適正なねじ締め状態の良否判定を行うことができるように構成する。【選択図】図１
0003204973.tif 000002
【実用新案登録請求の範囲】
【請求項１】
電動モータと、この電動モータを駆動するための駆動スイッチと、前記電動モータの駆動出力軸に減速機構およびクラッチ機構を介して結合されるドライバービットとを備え、前記駆動スイッチを操作するスイッチ操作部材と、前記クラッチ機構のクラッチ動作を検出するクラッチ動作検出センサと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記操作スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記クラッチ機構によるクラッチ動作時点までのドライバービットの回転に対する電動モータの回転量を、前記回転量検出手段により検出し、この検出された回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記クラッチ機構によるクラッチ動作時点までのドライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とするねじ締め状態判定機能を備えた電動回転工具。
【請求項２】
電動モータと、この電動モータを駆動するための駆動スイッチと、前記電動モータの駆動出力軸に減速機構を介して結合されるドライバービットとを備え、前記駆動スイッチを操作するスイッチ操作部材と、前記電動モータの停動トルクに基づく回転停止状態を検出するエンコーダと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記操作スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記電動モータの停動トルクに基づく回転停止時点までのドライバービットの回転に対する電動モータの回転量を、前記回転量検出手段により検出し、この検出された前記回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記電動モータの停動トルクに基づく回転停止時点までのライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とするねじ締め状態判定機能を備えた電動回転工具。
【請求項３】
請求項１記載のねじ締め状態判定機能を備えた電動回転工具において、前記電動モータ制御回路において前記、ドライバービットに付与される負荷トルク（反力）に基づく電動モータにおいて得られる負荷電流を検出する負荷電流検出手段を設け、
最初の複数回によるねじ締め操作により、前記ねじ締め開始時点からねじ締めの完了に伴う前記クラッチ機構によるクラッチ動作時点における電動モータのねじ締めトルク値に比例する負荷電流値を、前記負荷電流検出手段により検出し、この検出された負荷電流値を記録すると共に、前記複数回のねじ締め状態が全て適正であることを条件に目標負荷電流値（許容範囲を含む）を設定する負荷電流値記憶手段を設け、
前記制御手段には、その後のねじ締め作業において、前記ねじ締めの開始時点からねじ締めの完了に伴う前記クラッチ機構によるクラッチ動作時点における電動モータのねじ締めトルク値に比例する負荷電流値を前記負荷電流検出手段により逐次検出して前記負荷電流値記憶手段に記録すると共に、前記検出された負荷電流値を前記設定された目標負荷電流値（許容範囲を含む）と比較することにより、ねじ締め状態の良否を判定するように制御する構成としたことを特徴とするねじ締め状態判定機能を備えた電動回転工具。
【請求項４】
請求項２記載のねじ締め状態判定機能を備えた電動回転工具において、前記電動モータ制御回路において前記、ドライバービットに付与される負荷トルク（反力）に基づく電動モータにおいて得られる負荷電流を検出する負荷電流検出手段を設け、
最初の複数回によるねじ締め操作により、前記ねじ締め開始時点からねじ締めの完了に伴う前記電動モータの停動トルクに基づく回転停止時点における電動モータのねじ締めトルク値に比例する負荷電流値を、前記負荷電流検出手段により検出し、この検出された負荷電流値を記録すると共に、前記複数回のねじ締め状態が全て適正であることを条件に目標負荷電流値（許容範囲を含む）を設定する負荷電流値記憶手段を設け、
前記制御手段には、その後のねじ締め作業において、前記ねじ締めの開始時点からねじ締めの完了に伴う前記電動モータの停動トルクに基づく回転停止時点における電動モータのねじ締めトルク値に比例する負荷電流値を前記負荷電流検出手段により逐次検出して前記負荷電流値記憶手段に記録すると共に、前記検出された負荷電流値を前記設定された目標負荷電流値（許容範囲を含む）と比較することにより、ねじ締め状態の良否を判定するように制御する構成としたことを特徴とするねじ締め状態判定機能を備えた電動回転工具。
【請求項５】
前記ドライバービットのねじの取付け対象物に対する当接時に作動する駆動スイッチとして、ドライバービットの軸方向の変位によって作動するプッシュ操作スイッチを設け、前記プッシュ操作スイッチの動作信号により、ねじ締めを行う際のねじ締め開始時点を設定する構成としたことを特徴とする請求項１または２記載のねじ締め状態判定機能を備えた電動回転工具。
【請求項６】
前記制御手段において、その後のねじ締め作業に際し、前記回転量記憶手段に記録される前記クラッチ動作時点または前記停動トルクに基づく回転停止時点に検出される電動モータの回転量が、設定された目標回転量（許容範囲を含む）に適合すると判定された場合、および／または、前記負荷電流値記憶手段に記録される前記クラッチ動作時点または前記停動トルクに基づく回転停止時点に検出される電動モータのねじ締めトルク値に比例する負荷電流検出値が、設定された目標負荷電流値（許容範囲を含む）に適合すると判定された場合には、ねじ締め状態を適正と判定し記録ないし表示する構成としたことを特徴とする請求項１ないし４のいずれかに記載のねじ締め状態判定機能を備えた電動回転工具。
【請求項７】
前記制御手段において、その後のねじ締め作業に際し、前記回転量記憶手段に記録される前記クラッチ動作時もしくはその不動作時、または前記停動トルクに基づく回転停止時もしくはその不動作時の電動モータの回転量が、設定された目標回転量（許容範囲を含む）に適合しないと判定された場合、および／または、前記負荷電流値記憶手段に記録される前記クラッチ動作時点または前記停動トルクに基づく回転停止時点の電動モータのねじ締めトルク値に比例する負荷電流検出値が、設定された目標負荷電流値（許容範囲を含む）に適合しなと判定された場合には、ねじ締め状態を不良と判定し記録ないし表示する構成としたことを特徴とする請求項１ないし４のいずれかに記載のねじ締め状態判定機能を備えた電動回転工具。
【請求項８】
前記制御手段において、ねじ締め状態を適正と判定された場合に、ねじ締め状態が適正と判定されたねじの本数および／またはその長さ寸法を検出記録する構成としたことを特徴とする請求項６記載のねじ締め状態判定機能を備えた電動回転工具。
【考案の詳細な説明】
【技術分野】
【０００１】
本考案は、電動モータの駆動出力軸にクラッチ機構を介してドライバービットを結合し、ねじ締め作業を行うように構成した電動回転工具において、ねじ締め作業における適正なねじ締め状態および種々の不適正となるねじ締め状態について、簡便にして確実に確認および判定することができるように設定することができるねじ締め状態判定機能を備えた電動回転工具に関するものである。
【背景技術】
【０００２】
従来において、電動モータ等の駆動手段によりドライバービットを回転駆動してねじ締め作業をするねじ締め装置として、ねじ締め作業を適正にかつ円滑にして迅速に達成することができる種々の機能を備えたねじ締め装置が提案され、実用化されている。
【０００３】
例えば、電動モータの駆動出力軸にクラッチ機構を介してドライバービットを結合し、ねじ締め作業を行うように構成した電動ドライバーにおいて、所要のねじ取付け対象物に設けられたねじ孔に対し、ねじ締め装置によりねじの締付けを行う場合に、ねじが完全にねじ込まれない状態のままで、所定のねじ締めトルク値に到達して、前記クラッチ機構が作動してねじ締め作業を完了してしまうことがある。
【０００４】
本出願人は、先に、ねじ孔に対するねじのカジリやねじ浮き等のねじの締付け不良を、容易かつ簡便にして比較的簡単な構成により、低コストで適正かつ確実に検出することができるねじ締め装置を開発し、特許出願を行った（特許文献１参照）。
【０００５】
すなわち、前記特許文献１に記載のねじ締め装置は、電動モータ等の駆動手段によりドライバービット等の回転工具を回転駆動してねじ締め作業を行うと共に、所要のねじ取付け対象物に対するねじの締め付け完了に伴い前記回転工具に生じる負荷トルクを検出して、前記負荷トルクが予め設定したトルク値に達した際に、前記回転工具の回転駆動を停止制御するように構成してなるねじ締め装置において、(1) 前記回転工具の回転駆動に伴う回転数や回転時間に基づく回転量を検出するために前記回転工具または駆動手段に回転量検出手段を設け、(2) 回転工具の先端部にねじ頭部を嵌合させたねじのねじ軸先端をねじ取付け対象物のねじ孔に位置決め当接した時点において、前記回転工具を軸方向に押圧することによりねじ締め基準時点（ｔ１）をねじ締め基準時点設定手段により設定するように構成したものである。
【０００６】
そして、(3) 前記ねじ締め基準時点設定手段によりねじ締め基準時点が設定された後において、前記回転工具の駆動手段を始動させてねじ締め始動時点（ｔ２）をねじ締め始動時点設定手段により設定し、(4) 前記回転工具の回転駆動により前記ねじ孔に位置決め当接したねじを回動させて前記回転工具に生じる負荷トルクが予め設定したトルク値に達した際のねじ締め完了時点（ｔ３）をねじ締め完了時点検出手段により検出し、(5) 前記ねじ締め基準時点設定手段によるねじ締め基準時点（ｔ１）の設定後において、前記ねじ締め始動時点設定手段により回転工具の駆動手段を始動させるねじ締め始動時点（ｔ２）から、前記ねじ締め完了時点検出手段により検出されるねじ締め完了時点（ｔ３）まで、前記回転量検出手段により検出される回転工具の回転量が、予め設定した基準値と比較してその許容範囲内にあるか否かを判定してねじ締めの良否をねじ締め良否判定手段により判定するように構成したものである。
【０００７】
また、前記特許文献１に記載のねじ締め装置において、前記ねじ締め完了時点検出手段として、回転工具を回転駆動する駆動手段の駆動軸と回転工具との軸結合部に設けたトルク設定クラッチ機構により、予め設定したトルク設定値に到達した際にクラッチ動作した際のねじ締め完了時点検出信号とすること、または回転工具を回転駆動する電動モータの負荷電流を検出する負荷電流検出手段により、予め設定した負荷電流値に到達した際のねじ締め完了時点検出信号とすることが、それぞれ開示されている。
【先行技術文献】
【特許文献】
【０００８】
【特許文献１】特開２０１０−２１４５６４号公報
【考案の概要】
【考案が解決しようとする課題】
【０００９】
前述したように、前記特許文献１に記載のねじ締め装置においては、ねじ締め基準時点（ｔ１）を設定すると共に、ねじ締め始動時点（ｔ２）からねじ締め完了時点（ｔ３）まで、回転量検出手段により検出される回転工具の回転量が、予め設定した基準値と比較してその許容範囲内にあるか否かを判定して、ねじ孔に対するねじのカジリやねじ浮き等のねじの締付け不良を、容易かつ簡便にして比較的簡単な構成により、低コストで適正かつ確実に検出することができるものである。
【００１０】
しかしながら、前記ねじ締め装置においては、それぞれのねじ締め作業において、ねじ締め基準時点（ｔ１）を設定し、そしてねじ締め始動時点（ｔ２）からねじ締め完了時点（ｔ３）まで、回転量検出手段により検出される回転工具の回転量を検出することから、常にねじ締め基準時点（ｔ１）の設定を行う作業に注意を払う必要があり、熟練作業者においては特に問題はないが、不慣れな作業者においてのねじ締め作業においては、前記発明において発揮される適正な作業効果および作業能率を得られなくなる場合が考えられる。
【００１１】
そこで、本考案者は、前述した従来において種々提案されているクラッチ機構を採用した電動ドライバーにおいて、ドライバービットを回転駆動する電動モータの制御回路に対して電動モータの回転量を検出する回転量検出手段を設けて、ねじ締め作業において、前記電動モータの回転量を検出記録するように設定し、ねじ締めの完了する状態を前記クラッチ機構のクラッチ動作により検出して、このクラッチ動作時点での電動モータのねじ締め開始時点からの回転量を逐次検出ないし記録する制御部を設けた電動ドライバーを構成することに着目した。
【００１２】
すなわち、本考案においては、前記構成からなる電動ドライバーを使用して、所定のねじ締め作業を行う開始に際して、最初に複数回の予備的なねじ締め操作を行って、それぞれねじ締め開始時点から回転量検出手段により電動モータの回転量の検出を開始し、次いでねじ締めの完了する状態を前記クラッチ機構のクラッチ動作により検出して、このクラッチ動作時点での電動モータのねじ締め開始時点からの回転量をそれぞれ検出記録し、これらの検出記録した複数回のねじ締め回転量状態が全て適正であったことを条件として、前記検出記録した回転量に基づいて目標回転量を自動的に設定する。そして、その後における所定のねじ締め作業において、それぞれねじ締め作業の開始時点からねじ締めを完了して前記クラッチ機構のクラッチ動作時点に至るまでの電動モータの回転量を逐次検出し、前記クラッチ動作時点に検出された回転量を前記目標回転量と比較することにより、ねじ締め状態の適否を適正に判定することができることを突き止めた。
【００１３】
なお、本考案において、前記最初に複数回の予備的なねじ締め操作を行うに際して、前記クラッチ機構においては、予め標準的なトルク調整を施して置くものとし、また、その後に設定された前記目標回転量（許容範囲を含む）に基づいて、所定のねじ締め作業において検出されたねじ締め回転量につき、それぞれねじ締め状態を判定することにより、前記目標回転量（許容範囲を含む）に適合することにより適正なねじ締め状態とすることを容易かつ確実に判定することができる。
【００１４】
また、本考案においては、電動モータに設定された停動トルクに基づいて、ねじ締めの完了に伴い電動モータの回転駆動が停動トルクに達することにより、その回転停止状態となることを、エンコーダ等によって検出することができることから、前記クラッチ機構によるクラッチ動作時点の検出を行うことに代えて、電動モータの停動トルクに基づく回転停止時点の検出を行うことによっても、ねじ締め開始時点からねじ締めの完了に伴う電動モータの回転量の検出を適正に行うことも可能である。
【００１５】
なお、前記のように予め設定される目標回転量に対し、それぞれ所定のねじ締め作業において前記クラッチ動作時点または前記電動モータの停動トルクに基づく回転停止時点までに、逐次検出される電動モータの回転量を比較する場合において、前記目標回転量の設定値から所定のねじ締め作業においてクラッチ動作時点または電動モータの回転停止時点までに検出される電動モータの回転量を、逐次加算または逐次減算するように演算し、最終的な回転量の検出値を前記目標回転量（許容範囲を含む）の設定値と比較するように構成することができる。
【００１６】
本考案においては、前記構成からなる電動回転工具において、負荷電流検出手段を設けてねじ締めトルク値に比例する負荷電流値を、前記ねじ締め回転量と同様のタイミングで検出記録するように設定し、前記電動モータの回転量を検出記録する回転量検出手段と共に、前記電動モータの回転量と負荷電流値とを検出して、予め設定した目標回転量（許容範囲を含む）と比較すると共に、予め設定した目標負荷電流値（許容範囲を含む）とも比較することにより、ねじ締め状態の良否を判定し、さらにクラッチ動作時の負荷電流値を検出して、前記判定結果を表示するように設定することができる。
【００１７】
また、本考案においては、前記電動回転工具において、ねじの取付け対象物に対するドライバービットの当接時において作動する操作スイッチまたはエンコーダ、あるいは前記当接時において軸方向の変位により作動するプッシュ操作スイッチを設けて、その動作信号を検出することにより、ねじ締め作業を行う際のねじ締め開始時点として設定することができる。
【００１８】
このようにして、ねじ締め作業を行う際のねじ締め開始時点を設定することは、電動ドライバーによるねじ締め作業において、回転量検出手段により検出される電動モータの回転量を検出記録する際に、電動モータを駆動するための駆動スイッチをスイッチ操作部材で操作すると同時に、前記回転量検出手段により電動モータの回転量が検出されることになる。これにより、例えば、ドライバービットをねじ取付け対象物に当接するまで空転させている場合には、この空転しているタイミングにおいて検出される回転量が、実際にねじ締め作業を行っている間の電動モータの回転量を不正確とすることから、前記のようにねじ締め開始時点を設定することにより、実際にねじ締め作業を行っている間の電動モータの回転量を正確に検出することが可能となる。
【００１９】
特に、前記のようにプッシュ操作スイッチの動作信号を検出することにより、最初に、ドライバービットをねじの取付け対象物に当接した際に、ねじ締め作業を行う場合のねじ締め開始時点を設定し、次いで電動モータを駆動するための駆動スイッチを操作することにより、ねじの着座に至るまでの実際にねじ締め作業を行っている間の電動モータの回転量を正確に検出することができる。
【００２０】
従って、本考案によれば、マイクロメータに見られるように、精密ねじにおいては、ねじのピッチ寸法に関する加工精度の向上に伴い、前述したねじの回転量の検出精度の向上と相まって、ねじ締めに際してのねじの回転量とねじ軸の移動距離との関係が高精度に対応する位置決め設定が可能となり、これによりねじ締めの際にねじがその取付け対象物に対して適正に着座状態となる位置と回転量の関係を、正確に設定および確認することができ、ねじ締め作業における良否判定の信頼性を十分に高めることができる。
【００２１】
従って、本考案の目的は、電動モータの駆動出力軸にクラッチ機構を介してドライバービットを結合し、ねじ締め作業を行うように構成した電動回転工具において、簡便にして確実に確認および判定することができるように設定することができるねじ締め状態判定機能を備えた電動回転工具を提供することにある。
【課題を解決するための手段】
【００２２】
前記目的を達成するため、本考案の請求項１に記載のねじ締め状態判定機能を備えた電動回転工具は、電動モータと、この電動モータを駆動するための駆動スイッチと、前記電動モータの駆動出力軸に減速機構およびクラッチ機構を介して結合されるドライバービットとを備え、前記駆動スイッチを操作するスイッチ操作部材と、前記クラッチ機構のクラッチ動作を検出するクラッチ動作検出センサと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記操作スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記クラッチ機構によるクラッチ動作時点までのドライバービットの回転に対する電動モータの回転量を、前記回転量検出手段により検出し、この検出された回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記クラッチ機構によるクラッチ動作時点までのドライバービットの回転に対する電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とする。
【００２３】
本考案の請求項２に記載のねじ締め状態判定機能を備えた電動回転工具は、電動モータと、この電動モータを駆動するための駆動スイッチと、前記電動モータの駆動出力軸に減速機構を介して結合されるドライバービットとを備え、前記駆動スイッチを操作するスイッチ操作部材と、前記電動モータの停動トルクに基づく回転停止状態を検出するエンコーダと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記操作スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記電動モータの停動トルクに基づく回転停止時点までのドライバービットの回転による電動モータの回転量を、前記回転量検出手段により検出し、この検出された前記回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記電動モータの停動トルクに基づく回転停止時点までのライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とする。
【００２４】
本考案の請求項３に記載のねじ締め状態判定機能を備えた電動回転工具は、前記請求項１記載のねじ締め状態判定機能を備えた電動回転工具において、前記電動モータ制御回路において前記、ドライバービットに付与される負荷トルク（反力）に基づく電動モータにおいて得られる負荷電流を検出する負荷電流検出手段を設け、
最初の複数回によるねじ締め操作により、前記ねじ締め開始時点からねじ締めの完了に伴う前記クラッチ機構によるクラッチ動作時点における電動モータのねじ締めトルク値に比例する負荷電流値を、前記負荷電流検出手段により検出し、この検出された負荷電流値を記録すると共に、前記複数回のねじ締め状態が全て適正であることを条件に目標負荷電流値（許容範囲を含む）を設定する負荷電流値記憶手段を設け、
前記制御手段には、その後のねじ締め作業において、前記ねじ締めの開始時点からねじ締めの完了に伴う前記クラッチ機構によるクラッチ動作時点における電動モータのねじ締めトルク値に比例する負荷電流値を前記負荷電流検出手段により逐次検出して前記負荷電流値記憶手段に記録すると共に、前記検出された負荷電流値を前記設定された目標負荷電流値（許容範囲を含む）と比較することにより、ねじ締め状態の良否を判定するように制御する構成としたことを特徴とする。
【００２５】
本考案の請求項４に記載のねじ締め状態判定機能を備えた電動回転工具は、前記請求項２記載のねじ締め状態判定機能を備えた電動回転工具において、前記電動モータ制御回路において前記、ドライバービットに付与される負荷トルク（反力）に基づく電動モータにおいて得られる負荷電流を検出する負荷電流検出手段を設け、
最初の複数回によるねじ締め操作により、前記ねじ締め開始時点からねじ締めの完了に伴う前記電動モータの停動トルクに基づく回転停止時点における電動モータのねじ締めトルク値に比例する負荷電流値を、前記負荷電流検出手段により検出し、この検出された負荷電流値を記録すると共に、前記複数回のねじ締め状態が全て適正であることを条件に目標負荷電流値（許容範囲を含む）を設定する負荷電流値記憶手段を設け、
前記制御手段には、その後のねじ締め作業において、前記ねじ締めの開始時点からねじ締めの完了に伴う前記電動モータの停動トルクに基づく回転停止時点における電動モータのねじ締めトルク値に比例する負荷電流値を前記負荷電流検出手段により逐次検出して前記負荷電流値記憶手段に記録すると共に、前記検出された負荷電流値を前記設定された目標負荷電流値（許容範囲を含む）と比較することにより、ねじ締め状態の良否を判定するように制御する構成としたことを特徴とする。
【００２６】
本考案の請求項５に記載のねじ締め状態判定機能を備えた電動回転工具は、前記ドライバービットのねじの取付け対象物に対する当接時に作動する駆動スイッチとして、ドライバービットの軸方向の変位によって作動するプッシュ操作スイッチを設け、前記プッシュ操作スイッチの動作信号により、ねじ締めを行う際のねじ締め開始時点を設定する構成としたことを特徴とする。
【００２７】
本考案の請求項６に記載のねじ締め状態判定機能を備えた電動回転工具は、前記制御手段において、その後のねじ締め作業に際し、前記回転量記憶手段に記録される前記クラッチ動作時点または前記停動トルクに基づく回転停止時点に検出される電動モータの回転量が、設定された目標回転量（許容範囲を含む）に適合すると判定された場合、および／または、前記負荷電流値記憶手段に記録される前記クラッチ動作時点または前記停動トルクに基づく回転停止時点に検出される電動モータのねじ締めトルク値に比例する負荷電流検出値が、設定された目標負荷電流値（許容範囲を含む）に適合すると判定された場合には、ねじ締め状態を適正と判定し記録ないし表示する構成としたことを特徴とする。
【００２８】
本考案の請求項７に記載のねじ締め状態判定機能を備えた電動回転工具は、前記制御手段において、その後のねじ締め作業に際し、前記回転量記憶手段に記録される前記クラッチ動作時もしくはその不動作時、または前記停動トルクに基づく回転停止時もしくはその不動作時の電動モータの回転量が、設定された目標回転量（許容範囲を含む）に適合しないと判定された場合、および／または、前記負荷電流値記憶手段に記録される前記クラッチ動作時点または前記停動トルクに基づく回転停止時点の電動モータのねじ締めトルク値に比例する負荷電流検出値が、設定された目標負荷電流値（許容範囲を含む）に適合しないと判定された場合には、ねじ締め状態を不良と判定し記録ないし表示する構成としたことを特徴とする。
【００２９】
本考案の請求項８に記載のねじ締め状態判定機能を備えた電動回転工具は、前記制御手段において、ねじ締め状態を適正と判定された場合に、ねじ締め状態が適正と判定されたねじの本数および／またはその長さ寸法を検出記録する構成としたことを特徴とする。
【考案の効果】
【００３０】
本考案の請求項１および２に記載のねじ締め状態判定機能を備えた電動回転工具によれば、電動モータの駆動出力軸にクラッチ機構を介してドライバービットを結合し、ねじ締め作業を行うように構成した電動回転工具を使用して、最初のねじ締め操作として、前記クラッチ機構によるクラッチ動作をクラッチ動作検出センサにより検出して、前記電動モータの回転量検出手段により得られる回転量検出信号に基づく回転量を検出する操作を、複数回繰り返し行うことによって、前記回転量の検出記録に基づいて目標回転量（許容範囲を含む）の設定を行って、その後のねじ締め作業において、検出される回転量を前記設定された目標回転量（許容範囲を含む）と比較を行うことによって、ねじ締め状態の良否を適正にして容易かつ簡便に確認することができる。従って、本考案の電動回転工具を使用すれば、ねじ締め作業の未熟練者においても、容易かつ正確なねじ締め作業を達成することができる。
【００３１】
本考案の請求項２に記載のねじ締め状態判定機能を備えた電動回転工具によれば、電動モータの駆動出力軸にクラッチ機構を設けることなくドライバービットを結合し、ねじ締め作業を行うように構成した電動回転工具を使用して、最初のねじ締め操作として、前記電動モータの停動トルクに基づいてその回転停止状態を検出して、前記電動モータの回転量検出手段により得られる回転量検出信号に基づく回転量を検出する操作を、複数回繰り返し行うことによって、前記回転量の検出記録に基づいて目標回転量（許容範囲を含む）の設定を行って、その後のねじ締め作業において、検出される回転量を前記設定された目標回転量（許容範囲を含む）と比較を行うことによって、ねじ締め状態の良否を適正にして容易かつ簡便に確認することができる。従って、本考案の電動回転工具を使用すれば、ねじ締め作業の未熟練者においても、容易かつ正確なねじ締め作業を達成することができる。
【００３２】
本考案の請求項３および４に記載のねじ締め状態判定機能を備えた電動回転工具によれば、前述した電動回転工具の構成において、クラッチ機構によるクラッチ動作をクラッチ動作検出センサにより検出した際に、または電動モータの停動トルクに基づいてその回転停止状態を検出した際に、電動モータ制御回路における負荷電流検出手段により得られる負荷電流検出信号に基づく負荷電流値の検出を、前記回転量の検出と同時に行うことによって、前記目標回転量（許容範囲を含む）の設定と共に、目標負荷電流値（許容範囲を含む）の設定行い、その後のねじ締め作業において、検出される回転量および負荷電流値を、前記目標回転量（許容範囲を含む）および目標負荷電流値（許容範囲を含む）とそれぞれ比較することにより、前記と同様にねじ締め状態の良否を適正にして容易かつ簡便に確認することができる。
【００３３】
本考案の請求項５に記載のねじ締め状態判定機能を備えた電動回転工具によれば、実際にねじ締め作業を行っている間の電動モータの回転量を正確に検出することが可能となり、これに基づいて種々のねじ締めの異常状態の検出を容易化し、ねじ締め作業における適正なねじ締め状態について確実に確認および判定することができる。このようにして、本考案によれば、使用するクラッチ方式の電動回転工具において検出される制御に関するデータの集積ないし画像処理を円滑かつ容易に達成し、電動回転工具としての制御データ処理機能を高めることができる。
【００３４】
本考案の請求項６および７に記載のねじ締め状態判定機能を備えた電動回転工具によれば、それぞれ前述したねじ締め状態の良否判定と共に、例えば、電動モータの回転量が目標回転量（許容範囲を含む）よりも少ない場合は、ねじのカジリ、ねじ浮き、選択したねじ寸法の不適合等の異常状態とし、また電動モータの回転量が目標回転量（許容範囲を含む）よりも多い場合は、ねじバカ、下穴の摩損、ねじのカムアウト、ビットの破損、選択したねじ寸法の不適合等の異常状態として、それぞれねじ締め不良の判定を容易に行うことができる。従って、本考案によれば、前述したねじ締め作業における不良率の低減と共に、人的および物的な作業ミスの検出および確認についても、容易に行うことができる。
【００３５】
本考案の請求項８に記載のねじ締め状態判定機能を備えた電動回転工具によれば、前述したように、ねじ締め状態の良否判定を極めて容易かつ正確に行うことができることから、特にねじ締め状態が適正と判定されたねじの本数を、異常ないし不良と判定されたねじの本数と区別して、制御部において確実に記録することができると共に、これらの記録されたねじの本数を確認ないし表示することにより、ねじ締め作業の効率化と共にその信頼性を高めることができる。また、前記と同様に、ねじ締め状態が適正と判定された場合に、クラッチ動作時に検出された回転量に基づいて、ねじ締めを行ったねじの長さ寸法を、制御手段により正確に記録し、さらに記録されたその記録内容を表示することができる。
【図面の簡単な説明】
【００３６】
【図１】本考案に係るねじ締め状態判定機能を備えた電動回転工具の一実施態様を示す概略構成とその制御系統を示す説明図である。
【図２】図１に示す本考案に係るねじ締め状態判定機能を備えた電動回転工具の制御系統図である。
【図３】図１に示すねじ締め状態判定機能を備えた電動回転工具によりねじ締め良否判定を行うための基本的な制御操作方法としてのねじ締め制御プログラムを示すフローチャート図である。
【図４】図１に示すねじ締め状態判定機能を備えた電動回転工具によりねじ締め良否判定を行うための追加的な制御操作方法としてのねじ締め制御プログラムを示すフローチャート図である。
【図５】本考案に係るねじ締め状態判定機能を備えた電動回転工具の別の実施態様を示す概略構成とその制御系統を示す説明図である。
【考案を実施するための形態】
【００３７】
次に、本考案に係るねじ締め状態判定機能を備えた電動回転工具の実施例につき、添付図面を参照しながら以下詳細に説明する。
【００３８】
［ねじ締め状態判定機能を備えた電動回転工具の構成例（１）］
図１は、本考案に係るねじ締め状態判定機能を備えた電動回転工具の実施例を示す概略構成説明図である。すなわち、図１において、参照符号１０は電動回転工具を示し、この電動回転工具１０の把持部内に、電動モータ１２と、この電動モータ１２を駆動するための駆動スイッチ１３と、前記電動モータ１２の駆動出力軸（図示せず）に結合される減速機構１６およびクラッチ機構１８とを、それぞれ内蔵し、前記クラッチ機構１８を介してドライバービット２０を結合した構成からなる。
【００３９】
前記電動回転工具１０においては、前記電動モータ１２の駆動スイッチ１３を操作するスイッチ操作部材１４と、電動モータ１２の駆動制御および停止制御を行う電動モータ制御回路２２と、前記クラッチ機構１８のクラッチ動作を検出するクラッチ動作検出センサ２８とがそれぞれ設けられる。そして、前記電動モータ制御回路２２には、前駆電動モータ１２の回転量を検出する回転量検出手段２４が設けられる。さらに、前記ドライバービット２０に付与される負荷トルク（反力）に基づいて電動モータ１２において得られる負荷電流を検出する負荷電流検出手段２６が適宜設けられる。
【００４０】
なお、本実施例の電動回転工具１０において、電動モータ１２としてはブラシレスモータを好適に使用することができる。また、前記電動モータ１２を駆動するために、前記駆動スイッチ１３を操作するスイッチ操作部材１４としては、例えば電動回転工具１０の把持部外周に設ける公知のレバー部材として構成することができる。
【００４１】
また、本実施例において、前記電動モータ１２の回転量を検出するための回転量検出手段２４は、ブラシレスモータにおけるロータの磁極を検出するホール素子に対して、磁極検出時に発生するパルスをカウントする手段として設けることができる。この場合、前記回転量検出手段２４により検出される前記パルスのカウント数は、ドライバービット２０の回転に伴うねじ締め作業に際してのねじ締め回転量と相関する回転量として、検出記録することができる。
【００４２】
さらに、前記電動モータ１２の負荷電流を検出するための負荷電流検出手段２６は、電動モータ１２の電源回路において負荷電流を検出する手段として設けることができる。この場合、検出される前記電動モータ１２の負荷電流値は、ドライバービット２０の回転に伴うねじ締め作業に際してのねじ締めトルク値と相関する負荷電流値として、検出記録することができる。
【００４３】
前記クラッチ機構１８としては、例えば減速機構１６の出力軸にクラッチ板を取付け、このクラッチ板に対してクラッチボールを軸方向に弾力的に係合させる構成とし、ねじ締め作業において、ドライバービット２０を介して前記出力軸に一定以上の負荷トルク（反力）が掛ると、前記クラッチ板がクラッチボールを乗り越えて、ドライバービット２０を係合保持するビットホルダに対する回転駆動力の伝達が遮断されることにより、ねじを予め設定したトルクにより締め付けることができるように構成される。この場合、前記クラッチボールをクラッチ板に対して弾力的に係合する際に、その弾力を適宜調整することにより、ねじ締めトルクを設定することができる。
【００４４】
そして、前記クラッチ機構１８のクラッチ動作を検出するクラッチ動作検出センサ２８としては、例えばクラッチ動作時点のクラッチ板の変位により作動するリミットスイッチや、クラッチ動作時点において空転する減速機構１６を構成するインターナルギヤの回動を検出する磁気センサ等の公知の手段によって構成することができる。
【００４５】
そこで、本実施例においては、ねじ締め状態を判定するための制御手段として制御部３０を設け、ＣＰＵ３２において、前記電動回転工具１０における電動モータ１２に設けた電動モータ制御回路２２に対して、ねじ締め作業を開始する際に、前記スイッチ操作部材１４によって操作される駆動スイッチ１３の動作によって得られる駆動スイッチ操作信号Ｓ１３を入力し、この駆動スイッチ操作信号Ｓ１３に基づいて、モータ駆動制御信号Ｓ２２a を出力すると共に前記電動モータ制御回路２２に入力して、電動モータ１２の駆動制御を行うように構成される。
【００４６】
前記電動モータ１２の駆動により、所要のねじ締め作業を行う場合、前記ＣＰＵ３２において、ねじ締め作業の開始に伴う電動モータ１２の駆動開始時点ｔ0 において、前記回転量検出手段２４により検出される回転量検出信号Ｓ２４に基づいて、電動モータ１２の回転量Ｒt を検出記録するように設定する。
【００４７】
また、前記と同様に、ねじ締め作業の開始に伴う電動モータ１２の駆動開始時点ｔ0 において、前記負荷電流検出手段２６により検出される負荷電流検出信号Ｓ２６に基づいて、ねじ締めトルク値に比例する負荷電流値Ｉt を検出記録するように設定する。
【００４８】
そして、前記ＣＰＵ３２においては、前記クラッチ機構１８のクラッチ動作時点にクラッチ動作検出センサ２８により検出されるクラッチ動作検出信号Ｓ２８に基づいて得られるクラッチ動作時点ｔ1 において、電動モータ１２の回転量を検出して、後述する目標回転量Ｒｍ±α（±αは許容範囲）の設定と、この目標回転量Ｒｍ±αと比較するための回転量Ｒt1 とをそれぞれ検出記録するように設定する。
【００４９】
また、前記と同様に、前記クラッチ機構１８のクラッチ動作時点にクラッチ動作検出センサ２８により検出されるクラッチ動作検出信号Ｓ２８に基づいて得られるクラッチ動作時点ｔ1 において、ねじ締めトルク値に比例する負荷電流値を検出して、後述する目標負荷電流値Ｉｍ±β（±βは許容範囲）の設定と、この目標負荷電流値Ｉｍ±βと比較するための負荷電流値Ｉt1 とをそれぞれ検出記録するように設定する。
【００５０】
なお、前述したように、クラッチ動作検出センサ２８によりクラッチ動作が検出された際に、ＣＰＵ３２を介して、モータ停止制御信号Ｓ２２b が出力されると共に前記電動モータ制御回路２２に入力されて、電動モータ１２の停止制御が行われるように構成される。
【００５１】
さらに、本実施例においては、前述したように、制御部３０のＣＰＵ３２において、予め設定された目標回転量Ｒｍ±αに対してクラッチ動作時点ｔ1 に検出される回転量Ｒt1 を比較することにより、ねじ締め状態の良否が判定された場合、および／または、予め設定された目標負荷電流値Ｉｍ±βに対してクラッチ動作時点ｔ1 に検出される負荷電流値Ｉt1 を比較することにより、ねじ締め状態の良否が判定された場合、ＣＰＵ３２から出力される前記いずれかのねじ締め判定信号Ｓ４０により、それぞれの判定内容を適宜表示器４０において表示するように構成する。
【００５２】
次に、前記構成からなる本考案に係るねじ締め状態判定機能を備えた電動回転工具の制御操作方法について、ねじ締め作業におけるねじ締め状態の良否判定を行うまでのステップについて、前記制御部３０の制御系統図とその制御操作を示すフローチャートに基づいて説明する。
【００５３】
［本考案に係る電動回転工具の制御操作方法（１）］
図２は、図１に示す本考案に係るねじ締め状態判定機能を備えた電動回転工具の制御部３０の制御系統を示し、図３は、図１に示す本考案に係るねじ締め状態判定機能を備えた電動回転工具の前記制御部３０の制御操作方法を示すフローチャートである。
【００５４】
図２において、本考案の制御部３０の制御系統において、ＣＰＵ３２は全体を制御するプロセッサを示し、データバスを介して前述した操作スイッチ（エンコーダ）１３、回転量検出手段２４、負荷電流検出手段２６、電動モータ制御回路２４が接続されている。また、前記ＣＰＵ３２のデータバスには、制御プログラムが記憶されるＲＯＭ５０が接続されると共に、前記操作スイッチ（エンコーダ）１３、回転量検出手段２４、負荷電流検出手段２６により検出される電動回転工具１０の動作に伴う検出データ等を格納する記憶手段としてのＲＡＭ６０が接続されている。
【００５５】
すなわち、前記ＲＡＭ６０には、ねじ締め開始時点を記録し設定するねじ締め開始時点記憶部６１と、回転量検出手段２４により検出される回転量を記録すると共に目標回転量を設定する回転量記憶部６２と、負荷電流検出手段２６により検出される負荷電流値を記録すると共に目標負荷電流値を設定する負荷電流値記憶部６３とが設けられている。
【００５６】
さらに、前記ＣＰＵ３２のデータバスには、前記ＲＡＭ６０に格納される各種データに基づいて外部表示を行うための表示器としてのＬＣＤ４０ａがその制御回路としてのＬＣＤＩＣ４０ｂを介して接続されると共に、適宜外部操作器によってデータ等の入出力を行う入出力回路５２が接続される。
【００５７】
次に、本考案に係る電動回転工具１０の制御操作方法として、前記図１の構成および図２示す制御部３０の制御系に基づいて、図３に示す制御操作方法を説明する。
【００５８】
先ず、本考案に係る電動回転工具１０の駆動に際しては、スイッチ操作部材１４を操作することにより駆動スイッチ１３を作動し、前記電動モータ制御回路２２にモータ駆動制御信号Ｓ２２a が入力されて、電動モータ１２の駆動制御が行われ、電動ドライバー１０の駆動が開始される（図１、図２参照）。なお、前記電動回転工具１０の最初の使用に際しては、クラッチ機構１８に対して予め標準的なトルク調整を施しておくものとする。
【００５９】
そこで、本考案の電動回転工具１０を最初に使用するに際しては、最初のねじ締め操作として、所要のねじ締め対象物に対するねじ締め操作を１回からｎ回の複数回に亘って行う（ＳＴＥＰ−１）。この場合、電動回転工具１０に設けられた駆動スイッチ１３の作動により、電動モータ１２の駆動開始時点となるねじ締め開始時点ｔ0 を検出し、ＲＡＭ６０のねじ締め開始時点記憶部６１に記録する（図２参照）。
【００６０】
同時に、電動回転工具１０に設けられた回転量検出信号Ｓ２４により、ねじ締めを行うドライバービット２０の回転量に比例する電動モータ１２の回転量のカウントを開始する。そして、前記ドライバービット２０によるねじ締めが行われ、クラッチ機構１８によるクラッチ動作が行われる時点ｔ1 までにカウントされたねじ締め回転量を、それぞれＲＡＭ６０の回転量記憶部６２に記録する（ＳＴＥＰ−２）。
【００６１】
このようにして、前記複数回に亘って行われたねじ締め操作において、ねじ締め状態が全て適正に行われたことを条件に、それぞれ前記回転量記憶部６２に記録されたねじ締め回転量に基づいて、前記回転量記憶部６２において目標回転量Ｒｍ±α（±αは許容範囲）として自動的に設定される（ＳＴＥＰ−３）。
【００６２】
以上のようにして、本考案の電動回転工具１０において、前記目標回転量Ｒｍ±α（±αは許容範囲）が設定されることにより、その後における所要のねじ締め作業を行うことができる（ＳＴＥＰ−４）。従って、その後の電動回転工具１０による所要のねじ締め作業を行う際には（ＳＴＥＰ−４）、前述した場合と同様に、ねじ締め開始時点ｔ0 をからクラッチ機構１８によるクラッチ動作が行われる時点ｔ1 までにカウントされたねじ締め回転量を検出して、前記回転量記憶部６２に記録する（ＳＴＥＰ−５）。
【００６３】
このようにして検出されたねじ締め回転量Ｒt1は、前記前記回転量記憶部６２に設定された目標回転量Ｒｍ±α（±αは許容範囲）と比較され（ＳＴＥＰ−６）、その結果に基づいて、ねじ締め状態の良否を判定するように設定される。すなわち、前記検出されたねじ締め回転量Ｒt1と、目標回転量Ｒｍ±α（±αは許容範囲）との比較に際しては、Ｒｍ＋α≧Ｒt1 ≧Ｒｍ−αの条件を満足すれば、適正なねじ締め状態と判定され（ＳＴＥＰ−７）、前記条件を満足しない場合には、不良ないし異常なねじ締め状態と判定される（ＳＴＥＰ−８）。
【００６４】
なお、電動回転工具１０の使用によるねじ締め操作およびその後のねじ締め作業の開始（ＳＴＥＰ−１およびＳＴＥＰ−４）に際し、前記回転量検出手段２４により検出される回転量検出信号Ｓ２４に基づいて電動モータ１２の回転量Ｒt を、回転量記憶部６１において記録する場合において、ドライバービット２０がねじの取付け対象物に当接してから、実際にねじ締め作業を行っている間の電動モータ１２の回転量Ｒt を検出すれば、正確な回転量を検出することができる。
【００６５】
そこで、本考案の電動回転工具１０においては、例えば、本出願人が特許第４７２１５３５号において提案したように、前記電動ドライバー１０において、ねじの取付け対象物に対するドライバービット２０の当接時における軸方向の変位によって作動するプッシュ操作スイッチ（図示せず）を設けて、このプッシュ操作スイッチの動作信号により、ねじ締め作業を行う際のねじ締め開始時点ｔ0 を設定することができる。
【００６６】
このようにして、ねじ締め状態の良否が判定された場合、適正判定と不良判定とを明確に区別し得る判定表示を行うことができる。そこで、本考案に係る電動回転工具１０においては、制御部３０において出力される前記いずれかのねじ締め判定信号Ｓ４０により、それぞれの判定内容を適宜表示器としてのＬＣＤ４０ａにより表示するように構成することができる（図１、図２参照）。
【００６７】
［本考案に係る電動回転工具の制御操作方法（２）］
図４は、図１に示す本考案に係る電動回転工具の前記制御部３０の別の制御操作方法を示すフローチャートである。すなわち、図４に示す制御操作方法は、前記図３に示す制御操作方法を基本とし、さらに追加される制御操作方法を示すものである。
【００６８】
そこで、図４に示す制御操作は、前記制御操作方法（１）と同様に並行して行うものである。従って、電動回転工具１０の最初の使用に際しての最初のねじ締め操作により、所要のねじ締め対象物に対するねじ締め操作を１回からｎ回の複数回に亘って行う場合（ＳＴＥＰ−１１）において、前記制御操作方法と同様にして、電動回転工具１０に設けられた駆動スイッチ１３の作動により、電動モータ１２の駆動開始時点となるねじ締め開始時点ｔ0 を検出し、ＲＡＭ６０のねじ締め開始時点記憶部６１に記録する（図２参照）。
【００６９】
また、同時に電動回転工具１０に設けられた負荷電流検出手段２６により、電動モータ１２のねじ締めトルク値に比例する負荷電流値Ｉt の検出を開始する。そして、前記ドライバービット２０によるねじ締めが行われ、クラッチ機構１８によるクラッチ動作が行われる時点ｔ1 までに逐次検出された電動モータ１２の負荷電流値を、それぞれＲＡＭ６０の負荷電流値記憶部６３に記録する（ＳＴＥＰ−１２）。
【００７０】
このようにして、前記複数回に亘って行われたねじ締め操作において、ねじ締め状態が全て適正に行われたことを条件に、それぞれ前記負荷電流値記憶部６３に記録された負荷電流値に基づいて、前記負荷電流値記憶部６３において目標負荷電流値Ｉｍ±β（±βは許容範囲）として自動的に設定される（ＳＴＥＰ−１３）。
【００７１】
以上のようにして、本考案の電動回転工具１０において、前記目標負荷電流値Ｉｍ±β（許容範囲を含む）が設定されることにより、その後における所要のねじ締め作業を行うことができる（ＳＴＥＰ−１４）。従って、その後の電動回転工具１０による所要のねじ締め作業を行う際には（ＳＴＥＰ−１４）、前述した場合と同様に、ねじ締め開始時点ｔ0 をからクラッチ機構１８によるクラッチ動作が行われる時点ｔ1 までの電動モータ１２の負荷電流値Ｉt1を逐次検出して、前記回転量記憶部６３に記録する（ＳＴＥＰ−１５）。
【００７２】
このようにして検出された負荷電流値Ｉt1は、前記前記負荷電流値記憶部６３に設定された目標負荷電流値ＩＲｍ±β（±βは許容範囲）と比較され（ＳＴＥＰ−１６）、その結果に基づいて、ねじ締め状態の良否を判定するように設定される。すなわち、前記検出された負荷電流値Ｉt1と、目標負荷電流値Ｉｍ±β（±βは許容範囲）との比較に際しては、Ｉｍ＋β≧Ｉt1 ≧Ｉｍ−βの条件を満足すれば、適正なねじ締め状態と判定され（ＳＴＥＰ−１７）、前記条件を満足しない場合には、不良ないし異常なねじ締め状態と判定される（ＳＴＥＰ−１８）。
【００７３】
なお、本考案の前述した電動回転工具１０においては、前記制御操作方法（２）は、前述した制御操作方法（１）と同時に並行して実施される。
【００７４】
すなわち、最初の複数回によるねじ締め操作においては、前記ねじ締め開始時点ｔ0 からねじ締めの完了に伴う前記クラッチ機構１８によるクラッチ動作時点ｔ1 までのドライバービット２０の回転による電動モータ１２の回転量Ｒt1を、前記回転量検出手段２４により検出し、この検出された回転量を記録すると共に前記複数回のねじ締め状態が全て適正であることを条件に目標回転量Ｒｍ±α（±αは許容範囲）を回転量記憶部６２に設定する。同時に、前記負荷電流検出手段２６により検出される電動モータ１２のねじ締めトルク値に比例する負荷電流値Ｉt1を検出し、この検出された負荷電流値を記録すると共に前記複数回のねじ締め状態が全て適正であることを条件に目標負荷電流値ＩＲｍ±β（±βは許容範囲）を負荷電流値記憶部６３に設定する。
【００７５】
その後のねじ締め作業において、前記ねじ締め開始時点からねじ締めの完了に伴う前記クラッチ機構１８によるクラッチ動作時点までのドライバービット２０の回転による電動モータの回転量Ｒt1を、前記回転量検出手段２４により逐次検出して前記回転量記憶部６２に記録すると共に、前記クラッチ動作時点に検出された回転量を、前記設定された目標回転量Ｒｍ±α（±αは許容範囲）と比較する。同時に、前記ねじ締めの開始時点からねじ締めの完了に伴う前記クラッチ機構によるクラッチ動作時点までの負荷電流値Ｉt1を、前記負荷電流検出手段２６により逐次検出して前記負荷電流値記憶部６３に記録すると共に、前記クラッチ動作時点に検出された負荷電流値を、前記設定された目標負荷電流値ＩＲｍ±β（±βは許容範囲）と比較する。そして、それぞれねじ締め状態の良否を制御部３０により判定し、相互に適正なねじ締め状態となることについての確認をすることができる。
【００７６】
従って、前記制御操作方法（２）においても、ねじ締め状態の良否が判定された場合、制御部３０において出力される前記いずれかのねじ締め判定信号Ｓ４０により、それぞれの判定内容を適宜表示器としてのＬＣＤ４０ａにより表示するように構成することができる（図１、図２参照）。
【００７７】
前述した実施例において、本考案に係る電動回転工具においては、その基本的な構成として、クラッチ機構１８を設けると共に、前記クラッチ機構１８のクラッチ動作を検出するクラッチ検出センサ２８を設けることにより、ねじ締めの開始時点からねじ締めの完了に伴うドライバービット２０の回転に対する電動モータ１２の回転量、さらには前記ドライバービット２０に付与される負荷トルク（反力）に基づく電動モータの負荷電流値を検出する場合について説明した。
【００７８】
しかるに、電動モータ１２に設定された停動トルクに基づいて、ねじ締めの完了に伴い電動モータの回転駆動が停動トルクに達することにより、その回転停止状態となることを、電動モータ１２に設けたエンコーダ等によって検出することができることから、前記電動モータ１２の停動トルクに基づく回転停止時点の検出を行うことによっても、ねじ締め開始時点からねじ締めの完了に伴う電動モータ１２の前記回転量の検出ないし電動モータ１２の前記負荷電流値の検出を適正に行うことも可能である。
【００７９】
従って、前述した実施例において、前記クラッチ機構およびクラッチ検出センサを設けることに代えて、ねじ締め開始時点からねじ締めの完了に伴う前記電動モータの停動トルクに基づく回転停止時点までのドライバービットの回転に対する電動モータの回転量を検出するように構成すること、および、ねじ締め開始時点からねじ締めの完了に伴う前記電動モータの停動トルクに基づく回転停止時点における電動モータのねじ締めトルク値に比例する負荷電流値を検出するように構成することができる。
【００８０】
〔ねじ締め状態判定機能を備えた電動回転工具の構成例（２）〕
図５は、本考案に係るねじ締め状態判定機能を備えた電動回転工具の別の実施例を示す概略構成説明図である。なお、説明の便宜上、前述した図１に示す実施例の装置と、同一の構成要素については、それぞれ同一の機能を有することから、同一の参照符号を付し、それらの詳細な説明は省略する。
【００８１】
すなわち、本実施例の電動ドライバー１０´において、電動モータ１２としてブラシレスモータ以外の電動モータの適用を可能とするため、電動モータ１２の回転量検出手段としては、前記電動モータ１２の駆動軸に対し公知のロータリエンコーダからなる第１のエンコーダ２５を付設した構成からなるものである。従って、本実施例において、前記電動モータ１２の回転量は、制御部３０のＣＰＵ３２に対して、前記第１のエンコーダ２５により検出されるエンコーダ検出信号Ｓ２５を入力することにより、回転量検出手段として設定することができる。この場合、前記第１のエンコーダ２５により検出されるエンコーダ検出信号Ｓ２５は、電動モータ１２により回転するドライバービット２０のねじ締め作業に際してのねじ締め回転量と相関する回転量として、検出記録することができる。
【００８２】
また、本実施例の電動ドライバー１０´においては、ドライバービット２０の回転量検出手段として、ドライバービット２０と結合する公知のロータリエンコーダからなる第２のエンコーダ２９を付設した構成とすることができる。従って、前記ドライバービット２０の回転量は、制御部３０のＣＰＵ３２に対して、前記第２のエンコーダ２９により検出されるエンコーダ検出信号Ｓ２９を入力することにより、回転量検出手段として設定することができる。この場合、前記第２のエンコーダ２９により検出されるエンコーダ検出信号Ｓ２９は、ドライバービット２０の回転によるねじ締め作業に際してのねじ締め回転量と相関する回転量として、検出記録することができる。
【００８３】
本実施例の電動回転工具１０´において、その他の構成については、前記実施例と同一であり、従って、制御部３０のＣＰＵ３２においては、前記実施例と同様に、予め設定された目標回転量Ｒｍ±αに対してクラッチ動作時点ｔ１ において検出される回転量Ｒt1 を比較することにより、前述したそれぞれのねじ締め状態の良否が判定された場合、および／または、予め設定された目標負荷電流値Ｉｍ±βに対してクラッチ動作時点ｔ１ において検出される負荷電流値Ｉt1 を比較することにより、前述したそれぞれのねじ締め状態の良否が判定された場合、ＣＰＵ３２から出力される前記いずれかのねじ締め判定信号Ｓ４０により、それぞれの判定内容を適宜表示器４０において表示するように構成される。
【００８４】
なお、本実施例に示すように、ドライバービット２０のねじ締め操作およびねじ締め作業に際してのねじ締め回転量と相関する回転量を検出する前記第１のエンコーダ２５または前記第２のエンコーダ２９を使用することにより、ねじ締めを行う際のねじ締め開始時点ｔ0 を適正かつ容易に検出記録することができる。
【００８５】
以上の実施例から明らかなように、本考案に係る電動回転工具によれば、各種のねじ等を使用する所定のねじ締め作業において、所要のねじ孔に対するねじ締めの開始からねじが着座するまでの電動モータの回転量の検出に際して、ほぼ５０％程度まで確認することができれば、ねじ締め作業において生じるねじ締め不良となるトラブルの半分を確認し解決することができる。すなわち、ねじ締め作業の四大トラブルと称される、(1) ねじの下穴への斜め締めによりその入り口で生じるねじのカジリ、(2) タッピンねじ等の締め付けに際して発生するワークと下穴の不具合により着座前にトルクアップしてしまうねじ浮きを、それぞれ確認することができる。これらのトラブルは、ねじ締めの開始より、ねじの長さ寸法の半分くらいの間に起生するものである。そして、これらの状況をクリアして、ねじ着座後の規定のねじ締めトルクに達するまでに、(3) ビットの摩耗等によりカムアウトが発生して規定のねじ締めトルクに達成することができない場合、(4) 下穴の摩損によるねじの締結不良等、電動モータの回転量とクラッチ機構によるトルクアップ信号の検出および確認により、前記のようなねじ締め作業の四大トラブルを、それぞれ熟練を必要とすることなく、容易かつ確実に検出することができるという、優れた作用効果が得られるものである。
【００８６】
また、本発考案に係る電動回転工具によれば、所要のねじ締め作業において、予め設定される複数本のねじを、順次ねじ締めを行うに際して、それぞれのねじについての前述したねじ締め状態の良否の判定を検出記録すると同時に、ねじ締め本数の検出記録も一括して行うことができ、各種のねじ締め作業を行う生産ラインおよびそれらのネットワークにおける生産管理システムの構築を容易に実現することが可能となる。
【００８７】
特に、本考案に係る電動回転工具によれば、所要のねじ締め作業において、電動ドライバーによる電動モータの回転量を、クラッチ機構を利用して適正に検出することにより、適正なねじ締め完了（ねじの着座）状態を容易かつ確実に判定して、多数の連続ねじ締めを行うねじの本数との関係において、それぞれのねじ締め状態を記録ないし表示することができる。また、それぞれのねじ締め作業におけるクラッチ動作時点において、電動モータの負荷電流を検出記録することにより、前記クラッチ動作時点の負荷電流値は、それぞれねじ締めを完了（着座）したねじのねじ締めトルク値と極めて正確な相関関係を以って確認することができるため、前記電動モータの回転量の検出と共に電動モータの負荷電流値をそれぞれ組合せて検出記録ないし表示するように設定することにより、各種のねじ締め作業を行う生産ラインおよびそれらのネットワークにおける生産管理システムの構築を容易に実現することが可能となる。
【００８８】
以上、本考案の好適な実施例として、通常のねじ穴を設けた対象物に通常のねじを使用してねじ締め制御を行う場合について説明したが、このような実施例に限定されることなく、例えばタッピンねじやドリルねじを使用するねじ締め制御あるいはタップによるねじ加工を行う電動回転工具としても、同様に適用することができる。
【符号の説明】
【００８９】
１０，１０´  電動回転工具            １２  電動モータ
１３  駆動スイッチ                    １４  スイッチ操作部材
１６  減速機構                        １８  クラッチ機構
２０  ドライバービット                ２２  電動モータ制御回路
２４  回転量検出手段                  ２５  第１のエンコーダ（回転量検出手段）
２６  負荷電流検出手段                ２８  クラッチ動作検出センサ
２９  第２のエンコーダ（回転量検出手段）
３０  制御部                          ３２  ＣＰＵ
４０  表示器
４０ａ  ＬＣＤ                        ４０ｂ  ＬＣＤＩＣ
５０  ＲＯＭ                          ５２  入出力回路
６０  ＲＡＭ                          ６１  ねじ締め開始時点記憶部
６２  回転量記憶部                    ６３  負荷電流値記憶部
Ｓ１３  駆動スイッチ操作信号
Ｓ２２a   モータ駆動制御信号          Ｓ２２b   モータ停止制御信号
Ｓ２４  回転量検出信号                Ｓ２５  エンコーダ検出信号
Ｓ２６  負荷電流検出信号              Ｓ２８  クラッチ動作検出信号
Ｓ２９  エンコーダ検出信号            Ｓ４０  ねじ締め状態判定信号
Ｒｍ±α  目標回転量（許容範囲を含む）
Ｉｍ±β  目標負荷電流値（許容範囲を含む）
ｔ0   電動モータ駆動開始時点／ねじ締め開始時点
ｔ1   クラッチ動作時点
Ｒt1  クラッチ動作時点の回転量
Ｉt1  クラッチ動作時点の負荷電流検出値
【図１】
0003204973.tif 000003
【図２】
0003204973.tif 000004
【図３】
0003204973.tif 000005
【図４】
0003204973.tif 000006
【図５】
0003204973.tif 000007
【手続補正書】
【提出日】平成28年4月19日(2016.4.19)
【手続補正１】
【補正対象書類名】実用新案登録請求の範囲
【補正対象項目名】請求項１
【補正方法】変更
【補正の内容】
【請求項１】
電動モータと、この電動モータを駆動するための駆動スイッチと、前記電動モータの駆動出力軸に減速機構およびクラッチ機構を介して結合されるドライバービットとを備え、前記駆動スイッチを操作するスイッチ操作部材と、前記クラッチ機構のクラッチ動作を検出するクラッチ動作検出センサと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記駆動スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記クラッチ機構によるクラッチ動作時点までのドライバービットの回転に対する電動モータの回転量を、前記回転量検出手段により検出し、この検出された回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記クラッチ機構によるクラッチ動作時点までのドライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とするねじ締め状態判定機能を備えた電動回転工具。
【手続補正２】
【補正対象書類名】実用新案登録請求の範囲
【補正対象項目名】請求項２
【補正方法】変更
【補正の内容】
【請求項２】
電動モータと、この電動モータを駆動するための駆動スイッチと、前記電動モータの駆動出力軸に減速機構を介して結合されるドライバービットとを備え、前記駆動スイッチを操作するスイッチ操作部材と、前記電動モータの停動トルクに基づく回転停止状態を検出するエンコーダと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記駆動スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記電動モータの停動トルクに基づく回転停止時点までのドライバービットの回転に対する電動モータの回転量を、前記回転量検出手段により検出し、この検出された前記回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記電動モータの停動トルクに基づく回転停止時点までのライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とするねじ締め状態判定機能を備えた電動回転工具。
【手続補正３】
【補正対象書類名】明細書
【補正対象項目名】００２２
【補正方法】変更
【補正の内容】
【００２２】
前記目的を達成するため、本考案の請求項１に記載のねじ締め状態判定機能を備えた電動回転工具は、電動モータと、この電動モータを駆動するための駆動スイッチと、前記電動モータの駆動出力軸に減速機構およびクラッチ機構を介して結合されるドライバービットとを備え、前記駆動スイッチを操作するスイッチ操作部材と、前記クラッチ機構のクラッチ動作を検出するクラッチ動作検出センサと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記駆動スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記クラッチ機構によるクラッチ動作時点までのドライバービットの回転に対する電動モータの回転量を、前記回転量検出手段により検出し、この検出された回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記クラッチ機構によるクラッチ動作時点までのドライバービットの回転に対する電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とする。
【手続補正４】
【補正対象書類名】明細書
【補正対象項目名】００２３
【補正方法】変更
【補正の内容】
【００２３】
本考案の請求項２に記載のねじ締め状態判定機能を備えた電動回転工具は、電動モータと、この電動モータを駆動するための駆動スイッチと、前記電動モータの駆動出力軸に減速機構を介して結合されるドライバービットとを備え、前記駆動スイッチを操作するスイッチ操作部材と、前記電動モータの停動トルクに基づく回転停止状態を検出するエンコーダと、前記電動モータの駆動および停止制御を行う電動モータ制御回路と、前記電動モータの回転量を検出する回転量検出手段と、をそれぞれ設けた電動回転工具からなり、
前記ドライバービットのねじの取付け対象物に対する当接時に作動する駆動スイッチまたはエンコーダを設け、前記駆動スイッチまたはエンコーダの動作信号によりねじ締めを行う際のねじ締め開始時点を検出記録するねじ締め開始時点記憶手段と、
最初の複数回によるねじ締め操作により、前記ねじ締め開始時点からねじ締めの完了に伴う前記電動モータの停動トルクに基づく回転停止時点までのドライバービットの回転による電動モータの回転量を、前記回転量検出手段により検出し、この検出された前記回転量を記録すると共に、前記複数回のねじ締め状態が全て適正であることを条件に目標回転量（許容範囲を含む）を設定する回転量記憶手段と、
その後のねじ締め作業において、前記ねじ締め開始時点からねじ締めの完了に伴う前記電動モータの停動トルクに基づく回転停止時点までのライバービットの回転による電動モータの回転量を前記回転量検出手段により逐次検出して前記回転量記憶手段に記録すると共に、前記検出された回転量を前記設定された目標回転量（許容範囲を含む）と比較することにより、ねじ締め状態の良否を判定するように制御する制御手段と、を設けたことを特徴とする。
【手続補正書】
【提出日】平成28年4月19日(2016.4.19)
【手続補正１】
【補正対象書類名】明細書
【補正対象項目名】００８６
【補正方法】変更
【補正の内容】
【００８６】
なお、本考案に係る電動回転工具において、所要のねじ締め作業に際し、回転量記憶部ないし負荷電流値記憶部において、それぞれ設定される目標回転量ないし目標負荷電流値等のデータは、一般的に所要のねじ締め作業が終了して電源を遮断することにより、前記データをリセット可能とすることができる。また、このような電源遮断とは無関係に、適宜バックアップされた前記記憶部等のデータをリセットする場合には、従来から公知のリセットスイッチ等を設けて随時リセットし得るように設定することも可能であることは勿論である。
さらに、本考案に係る電動回転工具は、所要のねじ締め作業において、予め設定される複数本のねじを、順次ねじ締めを行うに際し、それぞれのねじについての前述したねじ締め状態の良否の判定を検出記録すると同時に、ねじ締め本数の検出記録も一括して行うことができ、各種のねじ締め作業を行う生産ラインおよびそれらのネットワークにおける生産管理システムの構築を容易に実現することが可能となる。